(57)【要約】      （修正有）【課題】多数の箸を積み重ねて収納可能な箸箱であって、箸がプラスチック箸や塗り箸のような洗い箸であっても、衛生的な収納ができる箸箱を提供する。【解決手段】多数の箸を積み重ねて横に収容可能な箸収納室１３を備える箱体２と蓋体３からなる箸箱であって、箸収納室１３の底部板上面には、箱体の短辺側壁と平行に延びる凸状のリブ７を少なくとも１本、あるいは複数本設けて、箸がリブのところで浮き上がり、箸収納室の底部板上面と収納された箸との間に空間を形成する。【選択図】図１
0003156035.tif 000002
【実用新案登録請求の範囲】
【請求項１】
多数の箸を積み重ねて収容可能な箸収納室を備える箱体と蓋体からなる箸箱であって、箸収納室の底部板上面に、箱体の短辺側壁と平行に延びる凸状のリブを少なくとも１本設けたことを設けたことを特徴とする箸箱。
【請求項２】
箱体の短辺側壁と平行に延びる前記凸状のリブを複数本設けたことを特徴とする請求項
１に記載の箸箱。
【請求項３】
箱体の一方の短辺側壁側に仕切り板で箸収納室と区画した爪楊枝収納室を設けたことを特徴とする請求項１又は２に記載された箸箱。
【考案の詳細な説明】
【技術分野】
【０００１】
本考案は、多数の箸を積み重ねて収納できる箸箱に関する。特に、再利用できるプラスチック箸や塗り箸のような洗い箸を収納するのに好適な箸箱に関する。
【背景技術】
【０００２】
現在、わが国で消費される割り箸は約２５０億膳／年間にものぼり、その数は膨大であり、その多くが途上国からの輸入に頼っている。割り箸の製造に使用される木材の伐採により森林資源の破壊やそれによる自然環境の悪化が危惧されている。このように、割り箸の使用への批判が高まっているなか、洗って繰り返し使える洗い箸、例えばプラスチック箸や塗り箸の使用が増えており、最近では、割り箸ではなく洗い箸を収納する箸箱を卓上に配備する飲食店等が増加している。
【０００３】
ところで、飲食店等で多く使用される従来の箸箱は、基本的な構成として、箸収納室を備える箱体と蓋体からなり、箸を横にして収納するものであり、箸収納室の底部板上面は平面（フラットな面）である（特許文献１参照）。
【０００４】
このような従来の箸箱に洗い箸を収納する場合、使い捨ての割り箸の収納では想定されていなかった問題点がある。
すなわち、洗い終わった箸を収納する際、布巾等でよく水気を取っても多少の湿気は残り、湿気を帯びた状態で箸が収納される。また時には拭き取られずに残った水気が残ったまま、収納されることもあり得る。こうした状況が何度も起こったり、続いたりすると、箸や箸箱を丁寧に洗って清潔にして箸を収納していても、箸箱の底部板上面と箸が隙間のない、あるいは隙間の少ない状態で接触するために、この部分の近傍に湿気が閉じこめられ、外部に散逸せず、常時湿気を帯び、箸は不潔な状態で収納されることになり、衛生上好ましくない。
【先行技術文献】
【特許文献】
【０００５】
【特許文献１】実開昭５９−１３１７５号公報
【考案の概要】
【考案が解決しようとする課題】
【０００６】
本考案は、多数の箸を積み重ねて収納可能な箸箱であって、箸が洗い箸であっても衛生的な収納ができる箸箱を提供することを課題とする。
【課題を解決するための手段】
【０００７】
本考案は、上記の課題を解決するため、以下の手段を採用する。
（１）多数の箸を積み重ねて収容可能な箸収納室を備える箱体と蓋体からなる箸箱であ
って、箸収納室の底部板上面に、箱体の短辺側壁と平行に延びる凸状のリブを少
なくとも１本設けたことを設けたことを特徴とする箸箱。
（２）箱体の短辺側壁と平行に延びる上記凸状のリブを複数本設けたことを特徴とする
上記（１）に記載の箸箱。
（３）箱体の一方の短辺側壁側に仕切り板で箸収納室と区画した爪楊枝収納室を設けた
ことを特徴とする上記（２）又は（３）に記載された箸箱。
【考案の効果】
【０００８】
本考案の箸箱は、箸収納室の底部板上面にリブを設けたことにより、多数の箸を収納したとき、箸はリブのところで浮き上がり、やや傾斜した状態で横たわることになり、箸収納室の底部板上面に対して、最下層に収納された箸は面接触ではなく、点接触に近くなる。このため、箸収納室の底部板上面と収納された箸の間には、箸のほぼ全長にわたって空間が形成される。このため、収納された箸自体や箸収納室の底部板上面が多少の湿気を帯びていたとしても、湿気は散逸し、箸は乾燥しやすい清潔な状態に置かれ、衛生的な収納ができる。
【図面の簡単な説明】
【０００９】
【図１】本考案の箸箱の実施の１例を示す斜視図（開蓋状態）
【図２】図１の縦断面正面図（蓋体を取り外した状態、箸が１本例示的に置かれて          いる。）
【図３】図１の平面図（蓋体を取り外した状態）
【考案を実施するための形態】
【００１０】
本考案の箸箱は、多数の箸を積み重ねて収納することができる箸収納室を備える箱体と蓋体からなり、箸収納室の底部板の上面には、該箸収納室の短辺側壁と平行して延びる凸状のリブが少なくとも１本以上形成されている。
【００１１】
以下、本考案に係る箸箱の実施例を図面とともに説明する。本考案は、かかる実施例にのみ限定されるものではない。
【実施例】
【００１２】
本考案の箸箱１は、図１〜３に示すように、箱体２と蓋体３とからなり、蓋体３は箱体２の上面を閉蓋できるようになっている。
【００１３】
箱体２は、直方体形状をなすものであり、本実施例では多数の箸を積み重ねて収納することができる箸収納室１３と爪楊枝を収納する爪楊枝収納室１４を備えている。爪楊枝収納室１４は必ずしも設けなくともよい。
【００１４】
箸収納室１３は、箸を横にして収納することができる直方体形状の室であって、長辺側壁４と短辺側壁５と底部板６で囲まれ、長辺側壁の長手方向の寸法が箸の長さよりも長い箱状のものである（後述するように、爪楊枝収納室を設けている場合は、短辺側壁の一方は仕切り板となる）。そして、箸収納室１３の底部板上面には短辺側壁に平行して底部板上面を横断して延びる凸状のリブ７が設けられている。リブ７の位置は、箸が安定して収納されるように、箸収納部の長手方向（長辺側壁方向）中央部よりいずれかの短辺側壁側に寄った個所に設ける。箸の先端側（調理物を狹持する側）が清潔な状態に保たれるためには箸の先端部側にリブ７が当接するように収納することが望ましい。
【００１５】
凸状のリブ７の高さと巾は、高さは５ｍｍ前後、幅は３ｍｍ前後である。もちろん、箸の寸法や形状に応じて適宜定めればよい。また、箸箱の寸法も収納する箸の数量や箸の寸法や形状に応じて適宜定めればよい。
【００１６】
このリブ７があるため、多数の箸を収納すると、箸はリブのところで浮き上がり、やや傾斜した状態で横たえられることになり、箸収納室１３の底部板６と収納された最下層の箸との間には空間ができ、箸は乾燥されやすい清潔な状態に置かれて、衛生上好ましい環境に保持される。
【００１７】
爪楊枝収納室１４は、箸収納室１３に隣接して、箱体の一方の短辺側壁側５に設けられており、仕切り板８によって箸収納室１３と区画されている。この爪楊枝収容室１４には底板９が設けられ、後述するように、蓋体が取り付けられる箱体の長辺側壁側を低くして、反対側は箱体２と同じ高さまで高くし、その高い側は平坦部を少し形成している。もちろんこの逆に箱体の長辺側壁側を高くしてもよい。この底板９や平坦部などの爪楊枝収納室１４の諸寸法も、収納する爪楊枝の数量や寸法、形状に応じて適宜定めればよい。
【００１８】
蓋体３は箱体の上面を閉蓋できるものであり、そのためにこの実施例では、蓋体の一方の長辺側縁部の両端部に垂直に延びる係合片１０を設け、短軸を介して、箱体の一方の長辺側壁４の上部両端部が前記係合片１０に係合することにより、蓋体は該軸を中心に回転し、箱体に対して閉蓋ができるようになっている。このような手段によらず、特許文献１の図１に記載されるように、蝶番を蓋体の長辺側縁部と箱体の長辺側側壁の上部の間に設けて、蓋体を回転し箱体に対して閉蓋することもできる。これらの手段は周知のものであるが、蓋体が箱体を閉蓋できるものであればいかなるものでもよい。また、蓋体と箱体を係合することなく、分離できるものとしてもよい。
【００１９】
この蓋体には透明ガラス板あるいは透明プラスチック板などの透明板１１を嵌めて、蓋体を閉蓋したときに、箱体の収納室が透視できるようにしている。この透明板は設けなくともよい。
【００２０】
上記の図１〜３に示す実施例では、リブは１本であるが、複数本のリブを適当な間隔で離して設けることもできる。このようにしても上記実施例と同様の効果を得られることは明らかである。例えば、箸収納室の一方の短辺側壁側寄りと他方の短辺側壁側寄りの底部板６の上面それぞれに１本ずつリブを設けることができる。この場合、リブの高さを異ならせて、箸の先端側（調理物を狹時する側）が箸の後端部（把持する側）に比べてかなり細い場合など、安定して多数の箸を収納することもできる。
【符号の説明】
【００２１】
１：箸箱
２：箱体
３：蓋体
４：長辺側壁
５：短辺側壁
６：底部板
７：リブ
８：仕切り板
９：底板
１０：係合片
１１：透明板
１２：箸
１３：箸収納室
１４：爪楊枝収納室
【図１】
0003156035.tif 000003
【図２】
0003156035.tif 000004
【図３】
0003156035.tif 000005